(57)【要約】【課題】  編物をする時に必要な道具類を１つの容器に整理整頓をして収納することができ、さらに持ち運びしやすい編物道具収納容器の提供する。【解決手段】  編物道具収納容器を本体と蓋体に分け、編物をする時に必要な道具をそれぞれの道具に適したそれぞれの収納室をもうけている。容器の本体には小道具を収納する収納室を設け、小道具が混ざらないように本体の収納室全体に蓋を設けている。蓋体には本・ノ−トなどを収納する収納室、プリントなどを収納するフックを設けている。さらに簡単に持ち運びができる構成となっている。【選択図】図１
0003150678.tif 000002
【実用新案登録請求の範囲】
【請求項１】
編物に必要な小道具を１つのケ−スに収納することができる編物道具収納容器において、該編物道具収納容器は本体と蓋体からなりヒンジ機構を用いて開閉自在になるように構成し、前記本体には仕切壁によって仕切られた収納室を複数個設け、該収納室に入れた小道具を保持手段により保持するように構成し、前記蓋体内面には、小道具のうち、ノ−ト・本などを収納する収納室・ファイル用フックを設け、更に前記編物道具収納容器の本体および または蓋体を構成する側壁に編棒針の太さを測定するための径の異なるゲ−ジ穴を複数個窄設したことを特徴とする編物道具収納容器。
【請求項２】
前記保持手段は収納室の底面に紐状小物道具を保持するための弾力性クリップを適数個設けることを特徴とする請求項１に記載の編物道具収納容器。
【考案の詳細な説明】
【技術分野】
【０００１】
本考案は編物道具をコンパクトに収納する編物道具収納容器に関するものである。
【背景技術】
【０００２】
棒針は棒針ケ−ス、輪針は輪針ケ−ス、小道具は有り合わせの紙製あるいはブリキ製の空箱、本はそのまま、プリントはファイルにそれぞれ別々に収納している。
【考案の概要】
【考案が解決しようとする課題】
【０００３】
毛糸の手編みのおけいこに通う時、棒針は棒針ケ−スに収納し、輪針は輪針ケ−スに収納し、縄編用針，毛糸止めゴムキャップ，取り目用安全ピン，ハサミ，待ち針，編み出し用糸などの小道具は紙製あるいはブリキ製の空箱に収納し、これらをさらに１つの鞄に収納するので鞄が嵩張る。また、筆記用具，編み図，ノ−トなども前記の鞄の中に収納するので鞄が大変嵩張るという問題点がある。また紙製やブリキ製の空箱の中に収納した小道具が入り交じり、必要な小道具を取り出す時に捜さなければならないという問題点がある。
【０００４】
本考案は、上記の問題点を解決するためになされたものであって、その目的とするところは手編みの教室や学校へ通う時、編物道具をかさばらずに運ぶことができ、編物道具を取り出す時に取り出しやすい編物に必要な道具入れ容器を提供することにある。
【課題を解決するための手段】
【０００５】
前記目的を達成するための本発明は、編物に必要な小道具を１つのケ−スに収納することができる編物道具収納容器において、該編物道具収納容器は本体と蓋体からなりヒンジ機構を用いて開閉自在になるように構成し、前記本体には仕切壁によって仕切られた収納室を複数個設け、該収納室に入れた小道具を保持手段により保持するように構成し、前期蓋体内面には小道具のうち、ノ−ト・本などを収納する収納室、ファイル用フックを設け、更に前記編物道具収納容器の本体および または蓋体を構成する側壁に編み棒針の太さを測定するための径の異なるゲ−ジ穴を複数個窄設したことを特徴とする編物道具収納容器である。
【０００６】
前記保持手段は収納室の底面に紐状小物道具を保持するための弾力性クリップを適数個設けることを特徴とする請求項１に記載の編物道具収納容器である。
【考案の効果】
【０００７】
本考案の編物道具収納容器においては、必要な小道具は収納室を設けているから小道具別にそれぞれ収納室に収納するので小道具が入り混じることがない。編物道具収納容器の内側に筆記用具・ノ−ト・プリントの収納部も設けている。棒針用のゲ−ジ穴を穿設しているので棒針の太さを計る計測スケ−ルは必要ない。編み出し用糸を収納するためのクリップを設けているので、糸が絡むことがない。磁石のついた収納室を設けているから磁性のある針などの小物が散乱しない。よって、編物のおけいこに通う時に必要な道具が１つの容器に収納できてかさばらない。
【図面の簡単な説明】
【０００８】
【図１】編物道具収納容器の斜視図である。
【図２】編物道具収納容器の本体の収納室にある剛性樹脂製のクリップに紐状の道具を収納する方法を示す図である。
【図３】編物道具収納容器の蓋体にあるフックにファイルを取り付けた状態を示す図である。
【考案を実施するための形態】
【０００９】
以下、図面に基づいて本考案の詳細を説明する。
【００１０】
図１は、編物道具収納容器の斜視図である。本発明の編物道具収納容器（以下収納容器とよぶ）１は本体１Ａと蓋体１Bからなり、本体１Ａと蓋体１Ｂのそれぞれに編物道具（以下道具とよぶ）を収納するための収納室イ・ロ・ハ・ニ・ホ・ヘ・ト・チ・リ・ヌ・ル・オを有する硬質合成樹脂製の容器で本体１Ａと蓋体１Ｂを結合する部分１ｃの合成樹脂を薄くして開閉自在になるように構成されている。
【００１１】
収納容器１の本体１Ａの収納部は収納容器１の本体１Ａの外壁の高さより低い仕切壁１Ａａ・１Ａｂ・１Ａｃ・１Ａｄ・１Ａｅ・１Ａｆ・１Ａｇ・１Ａｈ・１Ａｉ・１Ａｊで多数の収納室イ・ロ・ハ・ニ・ホ・ヘ・ト・チ・リ・ヌ・ルを造り、収納容器１の本体１Ａの収納室イ・ロ・ハ・ニ・ホ・ヘ・ト・チ・リ・ヌ・ルの道具が混りあわないように収納容器１の本体１Ａの収納室イ・ロ・ハ・ニ・ホ・ヘ・ト・チ・リ・ヌ・ル全体を覆う蓋１Ａｍを設け、収納容器１の本体１Ａにロック１Ａｎ・１Ａｏでロックされる構成となっている。
【００１２】
前記仕切壁１Ａａ・１Ａｂ・１Ａｃ・１Ａｄ・１Ａｅ・１Ａｆ・１Ａｇ・１Ａｈ・１Ａｉ・1Ａｊの高さは収納容器本体１の外壁の高さより本体１Ａの収納室イ・ロ・ハ・ニ・ホ・ヘ・ト・チ・リ・ヌ・ル全体を覆う蓋１Ａｍの厚さ分だけ低くする。
【００１３】
収納容器１の本体１Ａの収納室イ・ロ・ハ・ニ・ホ・ヘ・ト・チ・リ・ヌ・ル全体を覆う蓋１Ａｍは収納容器１の本体１Ａの収納容器１の蓋体１Ｂ側の側面上部に開閉自在になるように溶着され、ロック１Ａｎ・１Ａｏにより収納容器1の本体１Ａにロックされる構成となっている。
【００１４】
収納室イ・ロ・ハには編み棒針・鉛筆・ものさしなどの比較的長い道具をそれぞれ区別して収納する。
【００１５】
収納室ニは底面にマグネットシ−ト１Ａｌを接着剤で接着し、磁性をもたせる。該収納室ニはハサミ・針・クリップ・ピンなどの磁性のあるものを収納する。
【００１６】
収納室ホ・ヘには鉤針・縄編み針をそれぞれ区別して収納する。
【００１７】
収納室ト・チ・リ・ヌには棒針キャップ・待ち針・とじ針・しるし（印）リングをそれぞれ区別して収納する。
【００１８】
収納室ルの底面には３対の２図のような形の合成樹脂製のクリップ１Ａｋを接着剤で接着した構成とし、合成樹脂の弾力性を利用して編みだし糸・しつけ糸などの紐状の道具をそれぞれ１対のクリップに収納し、紐や糸が絡まないようにする構成となっている。
【００１９】
収納容器1の蓋体1Ｂには本・ノ−ト・プリント・輪針収納ケ−ス１Ｂｄなどを収納するための収納室オおよびクリップ１Ｂｂがある。
【００２０】
収納容器1の蓋体1Ｂにうすい合成樹脂の板1Ｂａを１図のように収納容器1の蓋体1Ｂの側面に収納室オとなるように溶着し、本・ノ−トなどを収納するように構成されている。
【００２１】
蓋体１Ｂの本体１Ａ側の内側壁に３図のような合成樹脂製の複数個のフック１Ｂｂを所定の間隔で接着剤を用いて接着し、市販のファイル・輪針収納ケ−ス１Ｂｄ（後述）を収納する構成となっている。
【００２２】
前述のフック１Ｂｂは３図のようにファイルを入れ込む所が市販のファイルの穴が入る大きさの２個の球で接し、合成樹脂の弾力を利用してファイルをはさみ込む形状となっている。
【００２３】
輪針収納ケ−ス１Ｂｄは収納容器１の中に収納できる大きさで、蓋体１Ｂのフック１Ｂｂに収納できるように下部に穴をあけた合成樹脂製のうすい板のことである。
【００２４】
輪針収納ケ−ス１Ｂｄには１図のように輪針２を収納するために直径５mmから１０mmの細長い合成樹脂製の袋を１対ずつサイズをかえて複数対接着剤で接着する。
【００２５】
収納容器１の蓋体１Ｂの収納容器１の本体１Ａに直交する側面には棒針の太さを計測するゲ−ジ１Ｂｃが設けられていて、編む時に針の太さが糸の太さに適合しているかを計ることができるように構成されている。
【００２６】
収納容器１の本体１Ａと収納容器１の蓋体１Ｂはロック１Ａｐ・１Ａｑ・１Ｂｆ・１Ｂｇでロックされ持ち運びしやすいように取手１Ｂｈを取り付けた構成となっている。
【００２７】
収納容器１の本体１Ａに収納容器１の蓋体１Ｂを閉じた状態の収納容器１の大きさは２５０mm×３８５mm×８０mmで収納容器１の本体１Ａと収納容器１の蓋体１Ｂの深さは同寸法ぐらいが望ましい。
【００２８】
本実施の形態の収納容器１は以上のような構成になっているため、編物のおけいこに通う時道具をバラバラに鞄に入れることなく１つの収納容器に収納することができる。また、道具を取り出す時に道具が種類別に収納されているので取り出し易い。
【００２９】
以上、本考案の実施の形態を説明してきたが、本考案の具体的な構成は本実施の形態に限定されるものではなく、考案の要旨を逸脱しない範囲の設計変更があっても本考案に含まれる。
【００３０】
例えば、本実施の形態の収納容器１は合成樹脂で形成されているが、収納容器１は厚紙・木材などで形成することもできる。
【符号の説明】
【００３１】
１                編物道具収納容器
１Ａ              編物道具収納容器の本体
１Ａａ，１Ａｂ，１Ａｃ，１Ａｄ，１Ａｅ，１Ａｆ，１Ａｇ，１Ａｈ，１Ａｉ，1Ａｊ 
仕切壁
１Ａｋ            紐状道具を収納するためのクリップ
１Ａｌ            マグネットシ−ト
１Ａｍ            編物道具収納容器本体の蓋            
１Ａｎ，１Ａｏ    ロック
１Ｂ              編物道具収納容器の蓋体
１Ｂａ            仕切壁
１Ｂｂ            クリップ
１Ｂｃ            棒針の太さを計測するゲ−ジ
１Ｂｄ            輪針収納ケ−ス
１Ｂｅ            輪針を収納するための袋
１Ｂｆ，１Ｂｇ    ロック
１Ｂｈ            編物道具収納容器の取手
イ，ロ，ハ，ニ，ホ，ヘ，ト，チ，リ，ヌ，ル，オ    収納室
２                輪針
【図１】
0003150678.tif 000003
【図２】
0003150678.tif 000004
【図３】
0003150678.tif 000005